(57)【要約】【課題】表面処理を施したくない部品の内径部を簡便で安価にマスクできるマスカント工具を提供する。【解決手段】カップリング部品２の突出ボス３に形成された内径部３ａをマスクする場合、突出ボス３の上端面３ｂにパッキンの上型５を着座させるとともに、締め具の上型４を突出ボス３の内径部３ａに緩挿してパッキンの上型５に重ねる態様で上端面３ｂに着座させる一方、突出ボス３の下端に形成された鍔３ｃの下端面３ｃ１に対しては、パッキンの下型６を締め具の下型７に重ねた状態にして下型７の雄ネジ部７ｂを上型４のネジ孔４ａ１に螺着させることにより、締め具の下型７をパッキンの下型６を介して下端面３ｃ１に当接させ、締め具の上型４と締め具の下型７間を圧着させる。【選択図】  図１
2004217957.tif 000002
【特許請求の範囲】
【請求項１】
部品に表面処理を施す際に、当該部品の内径部に表面処理が施されないように当該内径部をマスクするために用いるマスカント工具であって、前記マスクすべき内径部に連なる両端面にシリコンゴムまたはフッ素ゴム製パッキンをそれぞれ装着するとともに、これらパッキンのそれぞれの端面を覆うように上型と下型とで構成される締め具を重ね、当該締め具の上型と下型とを締め付けることを特徴とするマスカント工具。
【請求項２】
前記締め具の一方に雄ネジを設け、この雄ネジと螺合する雌ネジを他方の締め具に設け、さらに両締め具の外表面に該締め具を回転させる力を加える摘まみを設けたことを特徴とする請求項１に記載のマスカント工具。
【発明の詳細な説明】
【０００１】
【発明が属する技術分野】
本発明は、部品の内径部に表面処理が施されないように当該内径部をマスクするためのマスカント工具に関する。
【０００２】
【従来の技術】
従来から、例えば図３に示すようなカップリング１００に対し、その内径部１０１に表面処理が施されないように当該内径部１０１をマスクする方法として、同図に示すように、この内径部１０１に表面処理防止材（同図中の符号Ａで示す）を塗布する方法が多用されており、この具体例として、表面処理を施したくない部分に液状のマスカント（有機溶剤に樹脂を溶解させたもので、塗布後乾燥することによって固体の膜になるもの）を塗布して乾燥・固化させる方法がある（例えば、特許文献１参照）。
また、図４に示すように、この内径部１０１に当該内径部１０１の上下方向から円錐台状のゴム栓１０２ａ，１０２ｂを差込み、このゴム栓１０２ａ，１０２ｂの上から表面処理防止材（同図中の符号Ｂで示す）を塗布する方法や、図５に示すように、この内径部１０１に適合するようなシリコン製パッキンの上型１０３ａ及び下型１０３ｂを当該内径部１０１に嵌入させ、上型１０３ａ及び下型１０３ｂを貫通するボルト１０４にナット１０５を螺着して締付ける方法などが用いられることもある。
【０００３】
【特許文献１】
特開平６−２２８７８７号公報（第２頁、図４）
【０００４】
【発明が解決しようとする課題】
しかしながら、上述した表面処理防止材を塗布する方法は、塗布や乾燥に時間を要し、内径部の塗布については、特に、その孔長が深い場合やその孔内壁に凹凸が多い場合には塗布作業が容易でなく塗布むらが生じ易くなるという不具合がある。また、内径部にゴム栓を差込む方法や単に上型及び下型を当該内径部に嵌入させてボルト・ナットで締付ける方法では、シール性に欠けるために、内径部に表面処理材が侵入して十分にマスクができないという不具合がある。
【０００５】
本発明の目的は、表面処理を施したくない部品の内径部を簡便で安価にマスクできるマスカント工具を提供することにある。
【０００６】
【課題を解決するための手段】
上記課題を解決するために、本発明の請求項１に係るマスカント工具は、部品に表面処理を施す際に、当該部品の内径部に表面処理が施されないように当該内径部をマスクするために用いるマスカント工具であって、マスクすべき内径部に連なる両端面にシリコンゴムまたはフッ素ゴム製パッキンをそれぞれ装着するとともに、これらパッキンのそれぞれの端面を覆うように上型と下型とで構成される締め具を重ね、当該締め具の上型と下型とを締め付けるものであり、これにより、内径部に連なる端面に対するシール性が良くなるので、内径部への表面処理材の侵入が阻止でき、しかも、上述のようにしてパッキンや締め具の上型と下型とを締め付けるだけのものであるので、塗布や乾燥に時間を要することもなく、また、内径部の孔長が深い場合や孔内壁に凹凸が多い場合にも塗布むらの発生を心配することなく簡便に、且つ、安価にマスクできる。
ここで、パッキンにシリコン材またはフッ素樹脂材を用いているのは、これらの材質が表面処理においてその環境に影響されないからである。
【０００７】
また、本発明の請求項２に係るマスカント工具は、上記締め具の一方に雄ネジを設け、この雄ネジと螺合する雌ネジを他方の締め具に設け、さらに両締め具の外表面に当該締め具を回転させる力を加える摘まみを設けたものであり、これにより、部品を増やさずに締め具を構成できるので、使い勝手が良好になる。
【０００８】
【発明の実施の形態】
本発明の実施の形態に係るマスカント工具を図１，２を参照して説明する。
本マスカント工具１は、図１に示すようなカップリング（部品）２の突出ボス３に形成された内径部３ａに対して、表面処理が施されないようにするためのものであり、当該内径部３ａに適合するように構成されている。
即ち、本マスカント工具１は、部品２の突出ボス３に形成された内径部３ａに適合するように、図２に示すようなフッ素樹脂製締め具の上型４、シリコン製パッキンの上型５、シリコン製パッキンの下型６及びフッ素樹脂製締め具の下型７とで構成されている。
【０００９】
このうちフッ素樹脂製締め具の上型４は、その下端面からその中心軸に沿って所定深さにネジ孔４ａ１が螺刻された短寸の円筒部材４ａと、この円筒部材４ａの上端面に固着された、当該円筒部材４ａの外径より大きい外径を有する薄板状の円筒部材４ｂとで構成され、当該円筒部材４ｂの、上記円筒部材４ａから突出した突出部４ｂ１が上型４の鍔部を形成する形態となっている。そして、円筒部材４ａの外径は、当該円筒部材４ａが上記突出ボス３の内径部３ａに緩挿されるように当該内径部３ａの孔径より僅かに小さくなっており、また、円筒部材４ｂの外径は、上記突出部４ｂ１が、本実施の形態では、突出ボス３の上端面（内径部に連なる端面）３ｂ（図１参照）に着座できる大きさになっている。尚、円筒部材４ｂの上面には直径に等しい長さの角状の摘まみ４ｂ２が設けられている。
【００１０】
シリコン製パッキンの上型５は、上型４の突出部４ｂ１と突出ボス３の上端面３ｂ間に介装される薄い断面四角状のリング部材であり、このリングの外径は、上型４の円筒部材４ｂの外径に略等しく、また、このリングの内径は、上型４の円筒部材４ａの外径より僅かに大きく、これらリングの外径及び内径は、当該上型５が突出ボス３の端面３ｂに着座できる大きさになっている。
【００１１】
シリコン製パッキンの下型６は、その中央に挿通孔６ａが設けられた薄い円板状部材であり、後述する下型７の円筒部材７ａと、本実施の形態では、突出ボス３の下端に形成された鍔３ｃの下端面（内径部に連なる端面）３ｃ１間に介装され、下型６の外径は、鍔３ｃの下端面３ｃ１を底面とする凹部３ｄの内径より小さくできている。
【００１２】
フッ素樹脂製締め具の下型７は、上記下型６の外径と略等しい外径を有する薄板状の円筒部材７ａと、この円筒部材７ａの上面中央に突設された雄ネジ部７ｂとで構成され、この円筒部材７ａの下面には直径に等しい長さの角状の摘まみ７ａ１が設けられている。尚、雄ネジ部７ｂには、下型６の挿通孔６ａに当接して当該下型６のずれを防止するストレート部７ｂ１が当該下型６の厚みに相当する長さで設けられている。
【００１３】
次に、本マスカント工具１の使用のしかたを説明する。
表面処理が施されないようにカップリング２の突出ボス３に形成された内径部３ａをマスクするため、締め具の上型４を突出ボス３の内径部３ａに、パッキンの上型５を緩挿する。これでパッキンの上型５が締め具の上型４と突出ボス３に挟まれた態様で突出ボス３の上端面３ｂに着座する。一方、突出ボス３の下端に形成された鍔３ｃの下端面３ｃ１に対しては、締め具の上型４の摘まみ４ｂ２を把持して回転しないようにし、パッキンの下型６を雄ネジ部７ｂに固定し、締め具の下型７に重ねた状態で当該下型７の摘まみ７ａ１を回転させてその雄ネジ部７ｂを上型４のネジ孔４ａ１に螺着させることにより、締め具の下型７をパッキンの下型６を介して下端面３ｃ１に当接させ、締め具の上型４と締め具の下型７間を圧着させる。
【００１４】
ところで、締め具の上型４のネジ孔４ａ１及び締め具の下型７の雄ネジ部７ｂの部位を金属材で構成してもよい。また、このネジ孔４ａ１と雄ネジ部７ｂの部位にインサート等を入れて強度を増すようにしてもよい。
また、締め具４、７やパッキン５，６にシリコンやフッ素を用いたのは、使用する化学材や温度の環境下で劣化しないからであり、その他のゴム材料でも劣化ぜず、適切な弾性があれば使用できる。
【００１５】
【発明の効果】
本発明のマスカント工具によれば、シリコン製パッキンの上型及び下型に重ねてフッ素樹脂製締め具の上型及び下型をそれぞれ装着した状態で締め付けると、内径部に連なる端面に対するシール性が良くなるので、内径部への表面処理材の侵入が阻止でき、しかも、パッキンや締め具の上型及び下型を締め付けるだけのものであるので、塗布や乾燥に時間を要することもなく、また、内径部の孔長が深い場合や孔内壁に凹凸が多い場合にも塗布むらの発生を心配することなく簡便に、且つ、安価にマスクできる。
【図面の簡単な説明】
【図１】本発明の実施の形態に係るマスカント工具の使用例を示す説明図である。
【図２】図１のマスカント工具の分解構成図である。
【図３】従来のマスカント工具の使用例を示す説明図である。
【図４】従来のマスカント工具の使用例を示す説明図である。
【図５】従来のマスカント工具の使用例を示す説明図である。
【符号の説明】
１                    マスカント工具
２                    カップリング部品
３                    突出ボス
３ａ                  内径部
３ｂ                  上端面（内径部に連なる端面）
３ｃ                  鍔
３ｃ１                下端面（内径部に連なる端面）
４                    フッ素樹脂製締め具の上型
５                    シリコン製パッキンの上型
６                    シリコン製パッキンの下型
７                    フッ素樹脂製締め具の下型
【図１】
2004217957.tif 000003
【図２】
2004217957.tif 000004
【図３】
2004217957.tif 000005
【図４】
2004217957.tif 000006
【図５】
2004217957.tif 000007